【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
（Ａ）ｎ（ｎは３以上の整数）個のシンボルからなるフレームであって、振幅及び位相が一定のパイロット信号（Ｐ）を１シンボルに収容し、２以上のシンボルにデータ信号（Ｄｉｎ）を収容するフレームを伝送単位とする伝送信号光を生成する生成ステップと、
（Ｂ）当該伝送信号光を伝送路（３０）に出力する出力ステップと、
（Ｃ）当該伝送路（３０）から入力する伝送信号光からフレームタイミング信号を生成するタイミング信号生成ステップと、
（Ｄ）当該フレームタイミング信号に従い、当該伝送路から入力する伝送信号光から当該データ信号を分離する分離ステップ
とを具備し、
当該分離ステップ（Ｄ）が、
（Ｄ１）当該伝送信号光を複数の分割信号光に分割する分割ステップと、
（Ｄ２）当該複数の分割信号光の１つを１シンボル期間（Ｔｓ）の整数倍に相当する遅延時間の光遅延器により遅延する遅延ステップと、
（Ｄ３）当該複数の分割信号光の別の１つと、当該遅延ステップにより遅延した伝送信号光とを合波する合波ステップと、
（Ｄ４）当該合波ステップによる合波光を電気信号に変換する光／電気変換ステップと、
（Ｄ５）当該フレームタイミング信号に従い、当該電気信号から当該遅延時間に対応するシンボルのデータ信号を抽出する抽出ステップ
とを具備することを特徴とするデータ伝送方法。
【請求項２】
当該分離ステップ（Ｄ）が、更に、
（Ｄ６）当該複数の分割信号光の１つを、当該遅延ステップ（Ｄ１）の遅延時間とは異なる当該１シンボル期間の整数倍に相当する第２の遅延時間の第２の光遅延器により遅延する第２の遅延ステップと、
（Ｄ７）当該複数の分割信号光の別の１つと、当該第２の遅延ステップにより遅延した伝送信号光とを合波する第２の合波ステップと、
（Ｄ８）当該第２の合波ステップによる第２の合波光を第２の電気信号に変換する第２の光／電気変換ステップと、
（Ｄ９）当該フレームタイミング信号に従い、当該第２の電気信号から当該第２の遅延時間に対応するシンボルのデータ信号を抽出する第２の抽出ステップ
とを具備することを特徴とする請求項１に記載のデータ伝送方法。
【請求項３】
当該分離ステップ（Ｄ）が、当該データ信号を収容する各シンボルに対して、
当該複数の分割信号光の１つを、当該シンボルに対応する遅延時間だけ遅延する遅延ステップと、
当該複数の分割信号光の別の１つと、当該遅延ステップにより遅延した伝送信号光とを合波する合波ステップと、
当該合波ステップによる合波光を電気信号に変換する光／電気変換ステップと、
当該フレームタイミング信号に従い、当該電気信号から当該シンボルのデータ信号を抽出する抽出ステップ
とを具備することを特徴とする請求項１に記載のデータ伝送方法。
【請求項４】
当該生成ステップ（Ａ）が、
当該データ信号（Ｄｉｎ）に当該パイロット信号（Ｐ）を時分割多重するステップと、
時分割多重された当該データ信号及び当該パイロット信号を当該伝送信号光に変換する変換ステップ
とを具備することを特徴とする請求項１に記載のデータ伝送方法。
【請求項５】
当該変換ステップが、多重された当該データ信号及び当該パイロット信号でレーザ光の位相を変調する位相変調ステップであることを特徴とする請求項４に記載のデータ伝送方法。
【請求項６】
当該変換ステップが、多重された当該データ信号及び当該パイロット信号でレーザ光の振幅を変調する振幅変調ステップであることを特徴とする請求項４に記載のデータ伝送方法。
【請求項７】
当該生成ステップ（Ａ）が、
当該データ信号（Ｄｉｎ）をデータ信号光に変換するステップと、
当該パイロット信号をパイロット信号光に変換するステップと、
当該データ信号光と当該パイロット信号光を時分割多重するステップ
とを具備することを特徴とする請求項１に記載のデータ伝送方法。
【請求項８】
ｎ（ｎは３以上の整数）個のシンボルからなるフレームであって、振幅及び位相が一定のパイロット信号を１シンボルに収容し、２以上のシンボルにデータ信号を収容するフレームを伝送単位とする伝送信号光を生成し、当該伝送信号光を伝送路（３０，１３０）に出力する光送信装置（１０，１１０）と、
当該伝送路から入力する伝送信号光を複数の分割信号光に分割する光分波器（４２，１４２，２３０，３３０）と、
当該複数の分割信号光の１つからフレームタイミング信号を生成するタイミング信号生成装置（４８，５０，５６，５８，６０，６２；１４４ｅ，１４６ｅ，１５２，１５４，１５６；２３２ｅ，２３８ｅ，２４４，２４６，２４８；３３８，３４０，３４２，３４４，３４６）と、
当該フレームタイミング信号に従い、当該伝送路から入力する伝送信号光から当該データ信号を分離する分離装置
とを具備し、
当該分離装置が、
一方のアーム上に１シンボル期間の整数倍の遅延時間の光遅延器（４６，１４６ａ，３３４）を具備し、当該複数の分割信号光の１つが入力する遅延干渉計（４２，４４，４６；１４２ａ，１４４ａ，１４６ａ；２３２ａ；３３２）と、
当該フレームタイミング信号に従い、当該遅延干渉計（４２，４４，４６；１４２ａ，１４４ａ，１４６ａ）の出力信号光から当該遅延時間に対応するシンボルのデータ信号を抽出するデータ信号抽出器（５２，５４，６４；１４８ｂ，１５０ｂ，１５８ｂ；２３８ａ，２４０ａ；３３６，３４８）
とを具備する
ことを特徴とするデータ伝送システム。
【請求項９】
当該データ信号抽出器が、
当該遅延干渉計の出力信号光を電気信号に変換する光／電気変換器（５２，２３８ａ）と、
当該フレームタイミング信号に従い、当該光／電気変換器の出力電気信号から当該遅延時間に対応するシンボルのデータ信号をゲートするゲート装置（５４，２４０ａ）
とを具備することを特徴とする請求項８に記載のデータ伝送システム。
【請求項１０】
当該分離装置がさらに、
一方のアーム上に当該光遅延器の当該遅延時間とは異なる、当該１シンボル期間の整数倍に相当する第２の遅延時間の第２の光遅延器（１４６ｂ）を具備し、当該複数の分割信号光の別の１つが入力する第２の遅延干渉計（１４２ｂ，１４４ｂ，１４６ｂ；２３２ｃ）と、
当該フレームタイミング信号に従い、当該第２の遅延干渉計の出力信号光から当該第２の遅延時間に対応するシンボルのデータ信号を抽出する第２のデータ信号抽出器（１４８ｂ，１５０ｂ，１５８ｂ；２３８ｃ，２４０ｃ）
とを具備することを特徴とする請求項８又は９に記載のデータ伝送システム。
【請求項１１】
当該分離装置が、
一方のアーム上に当該１シンボル期間の整数倍に相当し且つ互いに異なる遅延時間の光遅延器（１４６ａ〜１４６ｄ）を具備し、当該複数の分割信号光の１つが入力する複数の遅延干渉計（１４２ａ〜１４２ｄ，１４４ａ〜１４４ｄ，１４６ａ〜１４６ｄ）と、
当該フレームタイミング信号に従い、当該複数の遅延干渉計の内の対応する遅延干渉計の出力信号光から所定のシンボルのデータ信号を抽出する複数のデータ信号抽出器（１４８ａ〜１４８ｄ，１５０ａ〜１５０ｄ，１５８ａ〜１５８ｄ）
とを具備することを特徴とする請求項８又は９に記載のデータ伝送システム。
【請求項１２】
当該光送信装置（１０，１１０）が、
当該データ信号に当該パイロット信号を時分割多重する多重装置（１４，１１４）と、
当該多重装置で多重された当該データ信号及び当該パイロット信号を当該伝送信号光に変換する変換器（１８，２０；１１８，１２０）
とを具備することを特徴とする請求項８乃至１１の何れか１項に記載のデータ伝送システム。
【請求項１３】
当該変換器が、
レーザ光源（１８，１１８）と、
当該レーザ光源の出力レーザ光の位相を、当該多重装置により多重された当該データ信号及び当該パイロット信号で変調する位相変調器（２０，１２０）
とを具備することを特徴とする請求項１２に記載のデータ伝送システム。
【請求項１４】
当該変換器が、
レーザ光源と、
当該レーザ光源の出力レーザ光の振幅を、当該多重装置により多重された当該データ信号及び当該パイロット信号で変調する光変調器
とを具備することを特徴とする請求項１２に記載のデータ伝送システム。
【請求項１５】
当該光送信装置が、
当該データ信号をデータ信号光に変換するデータ変換器（２１４）と、
当該データ信号光とパイロット信号光を時分割多重する光多重装置（２１８）
とを具備することを特徴とする請求項１２に記載のデータ伝送システム。
【請求項１６】
ｎ（ｎは３以上の整数）個のシンボルからなるフレームであって、振幅及び位相が一定のパイロット信号を１シンボルに収容し、２以上のシンボルにデータ信号を収容するフレームを伝送単位とする伝送信号光により、データを受信するデータ受信方法であって、
当該伝送信号光からフレームタイミング信号を生成するタイミング信号生成ステップと、
当該フレームタイミング信号に従い、伝送信号光から当該データ信号を分離する分離ステップ
とを具備し、
当該分離ステップが、
当該伝送信号光を複数の分割信号光に分割する分割ステップと、
当該複数の分割信号光の１つを１シンボル期間の整数倍に相当する遅延時間の光遅延器により遅延する遅延ステップと、
当該複数の分割信号光の別の１つと、当該遅延ステップにより遅延した伝送信号光とを合波する合波ステップと、
当該合波ステップによる合波光を電気信号に変換する光／電気変換ステップと、
当該フレームタイミング信号に従い、当該電気信号から当該遅延時間に対応するシンボルのデータ信号を抽出する抽出ステップ
とを具備することを特徴とするデータ受信方法。
【請求項１７】
当該分離ステップが、更に、
当該複数の分割信号光の１つを、当該遅延ステップの遅延時間とは異なる当該１シンボル期間の整数倍に相当する第２の遅延時間の第２の光遅延器により遅延する第２の遅延ステップと、
当該複数の分割信号光の別の１つと、当該第２の遅延ステップにより遅延した伝送信号光とを合波する第２の合波ステップと、
当該第２の合波ステップによる第２の合波光を第２の電気信号に変換する第２の光／電気変換ステップと、
当該フレームタイミング信号に従い、当該第２の電気信号から当該第２の遅延時間に対応するシンボルのデータ信号を抽出する第２の抽出ステップ
とを具備することを特徴とする請求項１６に記載のデータ受信方法。
【請求項１８】
当該分離ステップが、当該データ信号を収容する各シンボルに対して、
当該複数の分割信号光の１つを、当該シンボルに対応する遅延時間だけ遅延する遅延ステップと、
当該複数の分割信号光の別の１つと、当該遅延ステップにより遅延した伝送信号光とを合波する合波ステップと、
当該合波ステップによる合波光を電気信号に変換する光／電気変換ステップと、
当該フレームタイミング信号に従い、当該電気信号から当該シンボルのデータ信号を抽出する抽出ステップ
とを具備することを特徴とする請求項１６に記載のデータ受信方法。
【請求項１９】
当該伝送信号光は、当該データ信号及び当該パイロット信号で位相変調されたレーザ光からなることを特徴とする請求項１６に記載のデータ受信方法。
【請求項２０】
ｎ（ｎは３以上の整数）個のシンボルからなるフレームであって、振幅及び位相が一定のパイロット信号を１シンボルに収容し、２以上のシンボルにデータ信号を収容するフレームを伝送単位とする伝送信号光により、データを受信する光受信装置であって、
伝送路から入力する伝送信号光を複数の分割信号光に分割する光分波器（４２，１４２，２３０，３３０）と、
当該複数の分割信号光の１つからフレームタイミング信号を生成するタイミング信号生成装置（４８，５０，５６，５８，６０，６２；１４４ｅ，１４６ｅ，１５２，１５４，１５６；２３２ｅ，２３８ｅ，２４４，２４６，２４８；３３８，３４０，３４２，３４４，３４６）と、
当該フレームタイミング信号に従い、当該伝送路から入力する伝送信号光から当該データ信号を分離する分離装置
とを具備し、
当該分離装置が、
一方のアーム上に１シンボル期間の整数倍の遅延時間の光遅延器（４６，１４６ａ，３３４）を具備し、当該複数の分割信号光の１つが入力する遅延干渉計（４２，４４，４６；１４２ａ，１４４ａ，１４６ａ；２３２ａ；３３２）と、
当該フレームタイミング信号に従い、当該遅延干渉計（４２，４４，４６；１４２ａ，１４４ａ，１４６ａ）の出力信号光から当該遅延時間に対応するシンボルのデータ信号を抽出するデータ信号抽出器（５２，５４，６４；１４８ｂ，１５０ｂ，１５８ｂ；２３８ａ，２４０ａ；３３６，３４８）
とを具備する
ことを特徴とする光受信装置。
【請求項２１】
当該データ信号抽出器が、
当該遅延干渉計の出力信号光を電気信号に変換する光／電気変換器（５２，２３８ａ）と、
当該フレームタイミング信号に従い、当該光／電気変換器の出力電気信号から当該遅延時間に対応するシンボルのデータ信号をゲートするゲート装置（５４，２４０ａ）
とを具備することを特徴とする請求項２０に記載の光受信装置。
【請求項２２】
当該分離装置がさらに、
一方のアーム上に当該光遅延器の当該遅延時間とは異なる、当該１シンボル期間の整数倍に相当する第２の遅延時間の第２の光遅延器（１４６ｂ）を具備し、当該複数の分割信号光の別の１つが入力する第２の遅延干渉計（１４２ｂ，１４４ｂ，１４６ｂ；２３２ｃ）と、
当該フレームタイミング信号に従い、当該第２の遅延干渉計の出力信号光から当該第２の遅延時間に対応するシンボルのデータ信号を抽出する第２のデータ信号抽出器（１４８ｂ，１５０ｂ，１５８ｂ；２３８ｃ，２４０ｃ）
とを具備することを特徴とする請求項２０又は２１に記載の光受信装置。
【請求項２３】
当該分離装置が、
一方のアーム上に当該１シンボル期間の整数倍に相当し且つ互いに異なる遅延時間の光遅延器（１４６ａ〜１４６ｄ）を具備し、当該複数の分割信号光の１つが入力する複数の遅延干渉計（１４２ａ〜１４２ｄ，１４４ａ〜１４４ｄ，１４６ａ〜１４６ｄ）と、
当該フレームタイミング信号に従い、当該複数の遅延干渉計の内の対応する遅延干渉計の出力信号光から所定のシンボルのデータ信号を抽出する複数のデータ信号抽出器（１４８ａ〜１４８ｄ，１５０ａ〜１５０ｄ，１５８ａ〜１５８ｄ）
とを具備することを特徴とする請求項２０又は２１に記載の光受信装置。
【請求項２４】
当該伝送信号光は、当該データ信号及び当該パイロット信号で位相変調されたレーザ光からなることを特徴とする請求項２０に記載の光受信装置。
【手続補正２】
【補正対象書類名】明細書
【補正対象項目名】発明の名称
【補正方法】変更
【補正の内容】
【発明の名称】データ伝送方法、データ伝送システム、データ受信方法及び光受信装置
【手続補正３】
【補正対象書類名】明細書
【補正対象項目名】０００１
【補正方法】変更
【補正の内容】
【０００１】
本発明は、データ伝送方法、データ伝送システム、データ受信方法及び光受信装置に関する。
【手続補正４】
【補正対象書類名】明細書
【補正対象項目名】００１１
【補正方法】変更
【補正の内容】
【００１１】
本発明は、このような課題を解決するデータ伝送方法、データ伝送システム、データ受信方法及び光受信装置を提示することを目的とする。
【手続補正５】
【補正対象書類名】明細書
【補正対象項目名】００１２
【補正方法】変更
【補正の内容】
【００１２】
本発明に係るデータ伝送方法は、（Ａ）ｎ（ｎは３以上の整数）個のシンボルからなるフレームであって、振幅及び位相が一定のパイロット信号（Ｐ）を１シンボルに収容し、２以上のシンボルにデータ信号（Ｄｉｎ）を収容するフレームを伝送単位とする伝送信号光を生成する生成ステップと、（Ｂ）当該伝送信号光を伝送路に出力する出力ステップと、（Ｃ）当該伝送路から入力する伝送信号光からフレームタイミング信号を生成するタイミング信号生成ステップと、（Ｄ）当該フレームタイミング信号に従い、当該伝送路から入力する伝送信号光から当該データ信号を分離する分離ステップとを具備し、当該分離ステップ（Ｄ）が、（Ｄ１）当該伝送信号光を複数の分割信号光に分割する分割ステップと、（Ｄ２）当該複数の分割信号光の１つを１シンボル期間（Ｔｓ）の整数倍に相当する遅延時間の光遅延器により遅延する遅延ステップと、（Ｄ３）当該複数の分割信号光の別の１つと、当該遅延ステップにより遅延した伝送信号光とを合波する合波ステップと、（Ｄ４）当該合波ステップによる合波光を電気信号に変換する光／電気変換ステップと、（Ｄ５）当該フレームタイミング信号に従い、当該電気信号から当該遅延時間に対応するシンボルのデータ信号を抽出する抽出ステップとを具備することを特徴とする。
本発明に係るデータ伝送システムは、ｎ（ｎは３以上の整数）個のシンボルからなるフレームであって、振幅及び位相が一定のパイロット信号を１シンボルに収容し、２以上のシンボルにデータ信号を収容するフレームを伝送単位とする伝送信号光を生成し、当該伝送信号光を伝送路に出力する光送信装置と、当該伝送路から入力する伝送信号光を複数の分割信号光に分割する光分波器と、当該複数の分割信号光の１つからフレームタイミング信号を生成するタイミング信号生成装置と、当該フレームタイミング信号に従い、当該伝送路から入力する伝送信号光から当該データ信号を分離する分離装置とを具備し、当該分離装置が、一方のアーム上に１シンボル期間の整数倍の遅延時間の光遅延器を具備し、当該複数の分割信号光の１つが入力する遅延干渉計と、当該フレームタイミング信号に従い、当該遅延干渉計の出力信号光から当該遅延時間に対応するシンボルのデータ信号を抽出するデータ信号抽出器とを具備することを特徴とする。
本発明に係るデータ受信方法は、ｎ（ｎは３以上の整数）個のシンボルからなるフレームであって、振幅及び位相が一定のパイロット信号を１シンボルに収容し、２以上のシンボルにデータ信号を収容するフレームを伝送単位とする伝送信号光により、データを受信するデータ受信方法であって、当該伝送信号光からフレームタイミング信号を生成するタイミング信号生成ステップと、当該フレームタイミング信号に従い、伝送信号光から当該データ信号を分離する分離ステップとを具備し、当該分離ステップが、当該伝送信号光を複数の分割信号光に分割する分割ステップと、当該複数の分割信号光の１つを１シンボル期間の整数倍に相当する遅延時間の光遅延器により遅延する遅延ステップと、当該複数の分割信号光の別の１つと、当該遅延ステップにより遅延した伝送信号光とを合波する合波ステップと、当該合波ステップによる合波光を電気信号に変換する光／電気変換ステップと、当該フレームタイミング信号に従い、当該電気信号から当該遅延時間に対応するシンボルのデータ信号を抽出する抽出ステップとを具備することを特徴とする。
本発明に係る光受信装置は、ｎ（ｎは３以上の整数）個のシンボルからなるフレームであって、振幅及び位相が一定のパイロット信号を１シンボルに収容し、２以上のシンボルにデータ信号を収容するフレームを伝送単位とする伝送信号光により、データを受信する光受信装置であって、伝送路から入力する伝送信号光を複数の分割信号光に分割する光分波器と、当該複数の分割信号光の１つからフレームタイミング信号を生成するタイミング信号生成装置と、当該フレームタイミング信号に従い、当該伝送路から入力する伝送信号光から当該データ信号を分離する分離装置とを具備し、当該分離装置が、一方のアーム上に１シンボル期間の整数倍の遅延時間の光遅延器を具備し、当該複数の分割信号光の１つが入力する遅延干渉計と、当該フレームタイミング信号に従い、当該遅延干渉計の出力信号光から当該遅延時間に対応するシンボルのデータ信号を抽出するデータ信号抽出器とを具備することを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００２３
【補正方法】変更
【補正の内容】
【００２３】
図２（ｃ）は、光遅延器４６の出力信号光のビット配置を示す。光合波器４４は、図２（ｂ）に示すビット値の信号光と、図２（ｃ）に示す信号光とを光学的に合波し、光干渉により、一方の入力光にパイロット信号Ｐが存在するタイムスロットにおける他方の入力光のビットを分離する。図２（ｅ）は、光合波器４４の出力信号光のビット配置を示す。両入力光の何れにもパイロット信号Ｐが存在しないタイムスロットでは、信号値が不明又は不定であり、図２（ｅ）では、空白にしてある。
【手続補正８】
【補正対象書類名】明細書
【補正対象項目名】００２６
【補正方法】変更
【補正の内容】
【００２６】
図２（ｄ）は、光遅延器５０の出力信号光を示す。光合波器４８は、いわば、図２（ｂ）に示すビット値の信号光と、図２（ｄ）に示す信号光とを光学的に合波する。図２（ｆ）は、光合波器４８の出力信号のビット配置を示す。光合波器４８の出力でも、光合波器４４の場合と同様に、一方の入力光にパイロット信号Ｐが存在するタイムスロットの他方の入力光のビットが、分離されている。両入力光で、パイロット信号が同じタイムスロットに位置するので、パイロット信号が分離される。両入力光の何れにもパイロット信号Ｐが存在しないタイムスロットでは、信号値が不明又は不定であり、図２（ｆ）では、空白にしてある。
【手続補正９】
【補正対象書類名】明細書
【補正対象項目名】００３０
【補正方法】変更
【補正の内容】
【００３０】
受光器５２は、光合波器４４の出力光を電気信号に変換する。受光器５２の出力信号は、ゲート装置５４に印加される。受光器５６は、光合波器４８の出力信号光を電気信号に変換する。受光器５６の出力信号は、パイロット信号の周波数成分を抽出するフィルタ５８を介して、局所発振器６０の制御端子に印加される。光合波器４８、光遅延器５０、受光器５２及びフィルタ５８からなる回路は、光伝送路３０から入射した信号光から、パイロット信号又はその周波数成分を分離する装置として機能する。フィルタ５８の出力により、フレームの開始タイミングを知ることができる。
【手続補正１０】
【補正対象書類名】明細書
【補正対象項目名】００５６
【補正方法】変更
【補正の内容】
【００５６】
局所発振器１５４はまた、光伝送路１３０からの入力光からクロックを再生し、そのクロックの位相をフィルタ１５２の出力により制御する回路構成からなるものであってもよい。
【手続補正１１】
【補正対象書類名】明細書
【補正対象項目名】００５７
【補正方法】変更
【補正の内容】
【００５７】
ゲート制御装置１５６は、局所発振器１５４からのクロックに従い、各ゲート装置１５０ａ〜１５０ｄの通過を制御する。１フレームのビット数と、１フレーム内のパイロット信号の位置が既知である。ゲート制御装置１５６は、これらのフレーム構造情報と、局所発振器１５４からの、パイロット信号に同期したクロックとにより、伝送路１３０からの入力信号光のデータビット部分とパイロット信号部分を正しく決定できる。この決定に従い、ゲート制御装置１５６は、受光器１４８ａの出力信号（図４（ｆ）参照）から、データＤ１のビットｂ４，ｂ８，ｂ１２，．．．を通過するようにゲート装置１５０ａを制御し、受光器１４８ｂの出力信号（図４（ｇ）参照）から、データＤ２のビットｂ５，ｂ９，ｂ１３，．．．を通過するようにゲート装置１５０ｂを制御し、受光器１４８ｃの出力信号（図４（ｈ）参照）から、データＤ３のビットｂ６，ｂ１０，ｂ１４，．．．を通過するようにゲート装置１５０ｃを制御し、受光器１４８ｄの出力信号（図４（ｉ）参照）から、データＤ４のビットｂ７，ｂ１１，ｂ１５，．．．を通過するようにゲート装置１５０ｄを制御する。この制御により、各データＤ１〜Ｄ４のビットを分離抽出できる。
【手続補正１２】
【補正対象書類名】明細書
【補正対象項目名】００７１
【補正方法】変更
【補正の内容】
【００７１】
ＱＰＳＫ変調器２１４は、周知の構成からなる。プレコーダ２２０が、データＤ１をＱＰＳＫ変調のために符号化し、信号μ，νを出力する。０とπの位相変調器２２２は、光分波器２１２からのレーザパルス光を、信号μに従って位相変調する。０とπの位相変調器２２２は、光分波器２１２からのレーザパルス光を、信号νに従って位相変調する。移相器２２６が、位相変調器２２４の出力光の移相をπ／２だけシフトする。加算器２２８は、位相変調器２２２の出力信号光と、移相器２２６の出力信号光を合波する。合波器２２８の出力信号光、即ち、データＤ１を搬送するＱＰＳＫ信号光が、多重装置２１８に印加される。
【手続補正１３】
【補正対象書類名】明細書
【補正対象項目名】００７５
【補正方法】変更
【補正の内容】
【００７５】
光伝送路からの信号光は、光分波器２３０に入力する。光分波器２３０は、入力信号光を３つに分割し、それぞれを、データＤ１の受信系、データＤ２の受信系、及びパイロット信号の分離系に供給する。
【手続補正１４】
【補正対象書類名】明細書
【補正対象項目名】００７８
【補正方法】変更
【補正の内容】
【００７８】
データＤ１の信号νの受信系として、マッハツェンダ干渉計２３２ｂと、バランスト受光器２３８ｂを設ける。マッハツェンダ干渉計２３２ｂには、光分波器２３０で分波された信号光が入射する。マッハツェンダ干渉計２３２ｂの１つのアームに遅延時間Ｔｓの光遅延器２３４ｂと、−π／４の移相器２３６ｂを配置してある。バランスト受光器２３８ｂが、マッハツェンダ干渉計２３２ｂの２つの干渉出力光をバランスト受信する。ゲート装置２４０ｂも、ゲート装置２４０ａと同様に、ゲート制御装置２４８の制御下で、バランスト受光器２３８ｂの出力電気信号から、データＤ１を搬送するタイムスロット部分の信号を抽出又はゲートする。
【手続補正１５】
【補正対象書類名】明細書
【補正対象項目名】００９４
【補正方法】変更
【補正の内容】
【００９４】
フレームタイミング再生回路３４６は、フレーム積算回路３４４及び分周回路３４０の出力に従い、フレームのタイミングを示すフレームタイミング信号を再生する。フレームタイミング再生回路３４６から出力されるフレームタイミング信号は、外部に出力される他に、ゲート制御信号としてゲート装置３４８に印加される。